(57)【要約】      （修正有）【課題】仕切板により区画される全てのセルの下方に底板を形成することのできる底板一体型仕切体を提供する。【解決手段】仕切体は，第１ベース部材１０と，第２ベース部材２０と，一又は複数の長さ方向仕切部材３０とを含む。各ベース部材１０・２０のそれぞれは，底板１１・２１と，底板に対して起立可能な側板１２・２２と，側板１２・２２に連接した幅方向仕切板１３・２３と，幅方向仕切板の上縁に形成されたベーススリット１４・２４を有する。また，各長さ方向仕切部材３０のそれぞれは，第１ベース部材１０の第１ベーススリット１４に嵌合する第１差込スリット３１と，第２ベース部材２０の第２ベーススリット２４に嵌合する第２差込スリット３２を有している。【選択図】図１
2014223926.tif 000002
【特許請求の範囲】
【請求項１】
第１ベース部材（１０）と，第２ベース部材（２０）と，一又は複数の長さ方向仕切部材（３０）とを含む底板一体型の仕切体であって，
前記第１ベース部材（１０）は，
第１底板（１１）と，
前記第１底板（１１）の一辺の一部に折線を介して連接し，前記第１底板（１１）に対して起立可能な第１側板（１２）と，
前記第１側板（１２）の一辺の一部又は全部に折線を介して連接し，前記第１底板（１１）の面上に起立した仕切りを形成可能な第１幅方向仕切板（１３）と，
前記第１幅方向仕切板（１３）の上縁に形成された一又は複数の第１ベーススリット（１４）と，を有し，
前記第２ベース部材（２０）は，
第２底板（２１）と，
前記第２底板（２１）の一辺の一部に折線を介して連接し，前記第２底板（２１）に対して起立可能な第２側板（２２）と，
前記第２側板（２２）の一辺の一部又は全部に折線を介して連接し，前記第２底板（２１）の面上に起立した仕切りを形成可能な第２幅方向仕切板（２３）と，
前記第２幅方向仕切板（２３）の上縁に形成された一又は複数の第２ベーススリット（２４）と，を有し，
前記一又は複数の長さ方向仕切部材（３０）のそれぞれは，
前記第１ベース部材（１０）の前記第１ベーススリット（１４）に嵌合する第１差込スリット（３１）と，
前記第２ベース部材（２０）の前記第２ベーススリット（２４）に嵌合する第２差込スリット（３２）と，を有する
仕切体。
【請求項２】
前記一又は複数の長さ方向仕切部材（３０）が前記第１幅方向仕切板（１３）と前記第２幅方向仕切板（２３）に直交することにより複数のセル（４０）が画定され，
前記複数のセル（４０）のそれぞれの下方には，少なくとも前記第１底板（１１）と前記第２底板（２１）のいずれ一方が位置している
請求項１に記載の仕切体。
【請求項３】
前記第１ベース部材（１０）と前記第２ベース部材（２０）は，一枚のシートによって形成されている
請求項１又は請求項２に記載の仕切体。
【請求項４】
前記第１底板（１１）には，第１切欠部（１５）が形成され，
前記第２底板（２１）には，第２切欠部（２５）が形成されており，
前記第１底板（１１）と前記第２底板（２１）とを突き合わせたわせたときに，前記第１切欠部（１５）と前記第２切欠部（２５）が互いに嵌合する
請求項１から請求項３のいずれかに記載の仕切体。
【請求項５】
前記第１ベース部材（１０）は，さらに，
前記第１底板（１１）の一辺の一部又は全部に折線を介して連接し，前記第１側板（１２）と対向するように，前記第１底板（１１）に対して起立可能な第１ロック板（１６）と，
前記第１ロック板（１６）の上縁に形成された第１ロックスリット（１７）及び第２ロックスリット（１８）と，を有し，
前記第２ベース部材（２０）は，さらに，
前記第２底板（２１）の一辺の一部又は全部に折線を介して連接し，前記第２側板（２２）と対向するように，前記第２底板（２１）に対して起立可能な第２ロック板（２６）と，
前記第２ロック板（２６）の上縁に形成された第１ロックスリット（２７）及び第２ロックスリット（２８）と，を有し，
前記第１幅方向仕切板（１３）の下縁には，前記第１ロック板（１６）と第２ロック板（２６）を合掌させた状態において，前記２つの第１ロックスリット（１７，２７）に嵌合する第１ロック差込スリット（１９）が形成されていると共に，
前記第２幅方向仕切板（２３）の下縁には，前記第１ロック板（１６）と第２ロック板（２６）を合掌させた状態において，前記２つの第２ロックスリット（１８，２８）に嵌合する第２ロック差込スリット（２９）が形成されている
請求項１から請求項３のいずれかに記載の仕切体。
【発明の詳細な説明】
【技術分野】
【０００１】
本発明は，段ボール箱等の箱体内に収納して使用される底板一体型の仕切体に関する。具体的に説明すると，本発明の仕切体は，箱体内に複数のセル（小部屋）を形成して，箱体内に収納される複数の物品間を仕切るために使用される。
【背景技術】
【０００２】
従来から，例えば複数の瓶製品などを段ボール箱に収容する際に，箱内において瓶製品同士が衝突することを防止するために，仕切体が使用される。このような仕切体は，複数の長さ方向仕切板と複数の幅方向仕切板とによって箱内を区画し，複数のセル（小部屋）を形成する。箱内に形成されたセルのそれぞれには，瓶製品を一本ずつ収納することができ，仕切体が緩衝材となることで瓶製品同士が衝突しないようになっている。
【０００３】
一般的な仕切体は，複数の長さ方向仕切板と複数の幅方向仕切板とによって構成される。各長さ方向仕切板は，所定間隔ごとに平行に起立するものであり，その上縁から下方に延びる上方切込みを備えている。また，各幅方向仕切板は，各長さ方向仕切板の上方切込みに対応して噛み合う下方切込みを備えている。そして，仕切体は，各幅方向仕切板と各長さ方向仕切板とを互いに直交させて，切込み同士を互いに噛み合わせることで，いわゆる井桁状に組み立てられる。
【０００４】
ただし，このような構成の仕切体は，切込み同士の噛み合わせによって偏平に畳むことは容易であるものの，各幅方向仕切板と各長さ方向仕切板とが直交した状態を維持することが難しいことから，箱内に物品を収納する際には，仕切体の型を整えながら収納作業を行わなければならないという問題があった。また，通常は，箱の底部を補強するために，仕切体を箱内に収納するに先立って，この仕切体と別個に形成された底板（底パッド）を箱の底部に敷置する必要がある。このように，従来の一般的な仕切体は，箱内に収納する際の作業が煩わしいという不都合があった。
【０００５】
このため，従来から，仕切体と底板を一体化して，箱内に物品を収納する際の取り扱いを簡単にするための試みがなされている（例えば，特許文献１，特許文献２，特許文献３）。
【０００６】
例えば，特許文献１には，物品を保管または搬送するための箱内に区画を形成する中仕切りが開示されている。特許文献１の中仕切りは，横仕切り部と縦仕切り部を嵌合することにより構成されている。横仕切り部は，第１の方向に並行で，それぞれの上端部に，所定の間隔をもって複数の切り込み部が設けられた一対の横仕切り板と，該横仕切り板の下辺同志を連結する連結板とからなる。また，縦仕切り部は，第２の方向に並行で，それぞれの下端部に，横仕切り板に形成された切り込み部に嵌合させるための複数の切り込み部が，所定の間隔をもって設けられた縦仕切り板からなる。
【０００７】
また，特許文献２には，一枚のシートを折り曲げることによって箱の内部を６室に区画することができ，箱の補強作用を有すると同時に箱の底板に内フラップによって生ずる段差を解消できる仕切材が開示されている。
【０００８】
また，特許文献３には，底部及びその周縁から立設する筒状の側板部を有する箱内に嵌め入れられる仕切体が開示されている。特許文献３の仕切体は，一枚のシートが折り曲げられて形成されるか，又は複数枚のシートが組み立てられて形成されており，仕切壁部と，仕切壁部から延出する底板部とを有している。そして，底板部は，箱の側板部内面のうち相対する一方側部分及び他方側部分にそれぞれ当接する一対の当接部を有しており，かつ平面形状が維持されるように構成されている。
【先行技術文献】
【特許文献】
【０００９】
【特許文献１】特開２００２−２４９１３９号公報
【特許文献２】特開平１１−２２７７４６号公報
【特許文献３】特開２００８−２６０５６３号公報
【発明の概要】
【発明が解決しようとする課題】
【００１０】
上記特許文献１〜特許文献３に開示された従来の仕切体はいずれも，長さ方向仕切板と幅方向仕切板とによって箱体内部に複数のセルを区画するものであり，これらの仕切板が底板と一体的に形成されている。また，従来の仕切板は，組み立てた状態においても簡単に扁平状に畳むことができ，この点において利便性が高いものとなっている。
【００１１】
しかしながら，従来の仕切体は，仕切板により区画される全てのセルの下方に，底板が形成されたものではなかった。すなわち，従来の仕切体は，仕切板により区画された複数のセルのうちの幾つかには，底板が敷置されているものの，複数のセルの中の一部には，その下方に底板が敷置されていないものも存在している。このため，従来の仕切体では，底板が敷置されていないセルにも物品を収納する必要があり，箱体内に収納される全ての物品を十分に保護することができないという問題があった。
【００１２】
例えば，仕切板により区画された複数のセルには，いずれも瓶製品などの物品が収納される。しかし，従来の仕切板では，複数の瓶製品のうちの幾つかは底板によって保護することができるものの，複数の瓶製品の一部は底板によって保護することができない。また，従来の仕切板を使用すると，底板の上に載置される瓶製品と，底板なしで箱体の底面に載置される瓶製品とが存在することとなり，底板の有無の差によって，箱体に収納された瓶製品の高さに差異が生じることとなっていた。このように，従来の仕切板は，完全には，底板一体型の仕切板と呼べるものではなかった。
【００１３】
このため，現在では，簡単に畳むことのできる底板一体型の仕切体であって，長さ方向仕切板と幅方向仕切板とによって区画される全てのセルの下方に底板を形成することが可能な構造を有する仕切体が求められている。
【課題を解決するための手段】
【００１４】
そこで，本発明の発明者は，上記の従来発明の問題点を解決する手段について鋭意検討した結果，第１ベース部材に連結した底板と，第２ベース部材に連結した底板とを付き合わせることで広い一面の底板を形成し，その一面の底板の上方において，第１及び第２のベース部材それぞれと一体になった幅方向仕切板と，別途用意された長さ方向仕切部材を直交するように嵌合させて複数のセルを区画するという構造を発案した。また，このような構造の仕切体によれば，組立状態から簡単に畳むことができ，しかも長さ方向仕切板と幅方向仕切板とによって区画される全てのセルの下方に底板を形成することができるという知見を得た。そして，本発明者は，上記知見に基づけば，従来技術の課題を解決できることに想到し，本発明を完成させた。
具体的に説明すると，本発明は以下の構成を有する。
【００１５】
本発明は，底板一体型の仕切体に関する。本発明の仕切体は，第１ベース部材１０と，第２ベース部材２０と，一又は複数の長さ方向仕切部材３０とを含む。
まず，第１ベース部材１０は，
第１底板１１と，
第１底板１１の一辺の一部に折線を介して連接し，第１底板１１に対して起立可能な第１側板１２と，
第１側板１２の一辺の一部又は全部に折線を介して連接し，第１底板１１の面上に起立した仕切りを形成可能な第１幅方向仕切板１３と，
第１幅方向仕切板１３の上縁に形成された一又は複数の第１ベーススリット１４と，
を有している。
また，第２ベース部材２０も，第１ベース部材１０と同様に，
第２底板２１と，
第２底板２１の一辺の一部に折線を介して連接し，第２底板２１に対して起立可能な第２側板２２と，
第２側板２２の一辺の一部又は全部に折線を介して連接し，第２底板２１の面上に起立した仕切りを形成可能な第２幅方向仕切板２３と，
第２幅方向仕切板２３の上縁に形成された一又は複数の第２ベーススリット２４と，
を有している。
さらに，一又は複数の長さ方向仕切部材３０のそれぞれは，
第１ベース部材１０の第１ベーススリット１４に嵌合する第１差込スリット３１と，
第２ベース部材２０の第２ベーススリット２４に嵌合する第２差込スリット３２と，
を有している。
【００１６】
上記構成のように，第１ベース部材１０と第２ベース部材２０は共に，幅方向仕切板１３・２３が，側板１２・２２を介して，底板１１・２１に連結している。このため，幅方向仕切板１３・２３は，底板１１・２１の上方に向けて折り曲げられたときに，この底板１１・２１の上方に起立した仕切りを形成することができる。これにより，本発明の仕切体では，底板１１・２１の上方において，幅方向仕切板１３・２３と複数の長さ方向仕切部材３０とを直交させて複数のセルを形成することができる。従って，本発明の仕切体は，箱体内に収納される全ての物品（瓶製品等）の下部に底板を敷置させることができ，その結果，物品を安全に保護した状態で物品間を仕切ることができる。
【００１７】
本発明の仕切体は，一又は複数の長さ方向仕切部材３０が第１幅方向仕切板１３と第２幅方向仕切板２３に直交することにより複数のセル４０が画定され，複数のセル４０のそれぞれの下方には，少なくとも第１底板１１と第２底板２１のいずれ一方が位置していることが好ましい。
【００１８】
上記構成のように，本発明の仕切体では，複数のセル４０のそれぞれの下方に少なくとも第１底板１１と第２底板２１のいずれ一方が位置するように，第１底板１１と第２底板２１の面積等が調整されたものであることが好ましい。これにより，箱体内に収納される全ての物品を安全に保護することができる。
【００１９】
本発明の仕切体は，第１ベース部材１０と第２ベース部材２０が，それぞれ一枚のシートによって形成されていることが好ましい。
【００２０】
本発明において，第１ベース部材１０と第２ベース部材２０は，別々の板部を接着剤等によって結着させて構成することも可能であるが，一枚のシートによって構成することにより，仕切体の構造をより簡素なものとすることができる。
【００２１】
本発明の仕切体において，第１底板１１には第１切欠部１５が形成され，第２底板２１には第２切欠部２５が形成されており，第１底板１１と第２底板２１とを突き合わせたわせたときに，第１切欠部１５と第２切欠部２５が互いに嵌合することが好ましい。
【００２２】
上記構成のように，第１底板１１と第２底板２１とを，互いの切欠部１５・２５によって係わり合わせることで，第１底板１１と第２底板２１を突き合わせたときの係合力が強くなり，第１底板１１と第２底板２１が離脱しにくくなるため，仕切体の利便性が向上する。
【００２３】
本発明の仕切体において，第１ベース部材１０は，さらに，第１底板１１の一辺の一部又は全部に折線を介して連接し第１側板１２と対向するように第１底板１１に対して起立可能な第１ロック板１６と，第１ロック板１６の上縁に形成された第１ロックスリット１７及び第２ロックスリット１８を有することが好ましい。
また，同様に，第２ベース部材２０は，さらに，第２底板２１の一辺の一部又は全部に折線を介して連接し第２側板２２と対向するように第２底板２１に対して起立可能な第２ロック板２６と，第２ロック板２６の上縁に形成された第１ロックスリット２７及び第２ロックスリット２８を有することが好ましい。
さらに，第１幅方向仕切板１３の下縁には，第１ロック板１６と第２ロック板２６を合掌させた状態において，２つの第１ロックスリット１７・２７に嵌合する第１ロック差込スリット１９が形成されていると共に，第２幅方向仕切板２３の下縁にも，第１ロック板１６と第２ロック板２６を合掌させた状態において，２つの第２ロックスリット１８・２８に嵌合する第２ロック差込スリット２９が形成されていることが好ましい。
【００２４】
上記構成のように，第１ベース部材１０及び第２ベース部材２０において，各底板１１・２１に，ロック板１６・２６を連接し，各幅方向仕切板１３・２３が，このロック板１６・２６に嵌合するようにすることで，仕切体を組み立てたときに，各底板１１・２１が各幅方向仕切板１３・２３によってロック（固定）された状態となる。このため，組立て状態にある仕切体が型崩れしにくくなる。
【発明の効果】
【００２５】
本発明の仕切体は，簡単に畳むことのできる底板一体型のものであり，しかも長さ方向仕切板と幅方向仕切板とによって区画される全てのセルの下方に底板を形成することができる。
【図面の簡単な説明】
【００２６】
【図１】図１は，第１の実施形態に係る仕切体の展開図である。
【図２】図２は，仕切体に含まれるベース部材の折り曲げ方を示す説明図である。
【図３】図３は，仕切体に含まれる各部材を組み立てた状態を示す斜視図である。
【図４】図４は，仕切体を組み立てた状態を示す斜視図である。
【図５】図５は，組み立てた仕切体を上方から見た状態を示す俯瞰図である。
【図６】図６は，組み立てた仕切体を畳む過程を示した斜視図である。
【図７】図７は，第２の実施形態に係る仕切体の展開図である
【図８】図８は，仕切体に含まれるベース部材の底板を係合させた状態を示す斜視図である。
【図９】図９は，第３の実施形態に係る仕切体の展開図である。
【図１０】図１０は，仕切体に含まれるベース部材のロック板を合掌させた状態を示す斜視図である。
【図１１】図１１は，合掌状態にあるロック板に幅方向仕切板を嵌合した状態を示す斜視図である。
【図１２】図１２は，仕切体を組み立てた状態を示す斜視図である。
【発明を実施するための形態】
【００２７】
以下，図面を用いて本発明を実施するための形態について説明する。本発明は，以下に説明する形態に限定されるものではなく，以下の形態から当業者が自明な範囲で適宜修正したものも含む。
なお，本願の斜視図等においては，Ｘ軸，Ｙ軸，及びＺ軸を有する直交座標系によって図中の立体方向を示している。
また，本願明細書において，長さ方向と幅方向は互いに平面的に直交する方向を意味する。長さ方向と幅方向という用語は，互いに直交する方向であることを特定するのみであり，特に断りのない限り，一方の方向が他方の方向よりも長いことを特定するものではない。例えば，長さ方向の長さが幅方向の長さよりも長いものであってもよいし，幅方向の長さが長さ方向の長さよりも長いものであってもよいし，長さ方向の長さと幅方向の長さは同じ長さであってもよい。
また，本願明細書において，「Ａ〜Ｂ」とは，「Ａ以上Ｂ以下」であることを意味する。
【００２８】
（１．第１の実施形態）
図１は，本発明の仕切体の第１の実施形態を示す展開図である。本発明に係る仕切体１００は，基本的に，段ボール箱等の箱体内に収納して使用される。仕切体１００は，箱体内に複数のセル（小部屋）を形成し，箱体内に収納される複数の物品間を仕切ることができる。例えば複数の瓶製品などを段ボール箱に収容する場合において，箱内に仕切体１００を備え付けることで，瓶製品同士が衝突することを防止できる。
【００２９】
図１に示されるように，本発明の仕切体１００は，２つのベース部材１０・２０と，複数の長さ方向仕切部材３０とによって構成される。本願明細書では，２つのベース部材１０・２０を，それぞれ第１ベース部材１０と第２ベース部材２０と称している。また，図１に示した例において，長さ方向仕切部材３０の数は３つとなっている。ただし，長さ方向仕切部材３０の数は適宜増減することができ，１つであってもよいし，２つであってもよいし，４つ以上であってもよい。第１ベース部材１０，第２ベース部材２０，及び複数の長さ方向仕切部材３０は，例えば段ボールシートを型抜して成型したものであることが好ましい。特に，第１ベース部材１０と，第２ベース部材２０と，複数の長さ方向仕切部材３０は，それぞれ，一枚の段ボールシートによって形成されたものであることが好ましい。なお，図１においては，各部材を構成する段ボールシートの目方向を，概念的に，小円の中に示している。
【００３０】
図１に示されるように，第１ベース部材１０は，第１底板１１と，第１側板１２と，第１幅方向仕切板１３と，第１ベーススリット１４を有している。同様に，第２ベース部材２０は，第２底板２１と，第２側板２２と，第２幅方向仕切板２３と，第２ベーススリット２４を有している。第１ベース部材１０と第２ベース部材２０は，基本的に同一形状であることが好ましく，これらを構成する各要素も，基本的には同一の形状であることが好ましい。
【００３１】
第１底板１１及び第２底板２１は，図１に示された例において，矩形状となっている。第１底板１１の面積と第２底板２１の面積の和は，仕切体１００を収納する箱体の底面の面積と略一致することが好ましい。例えば，各底板１１・２１の面積の和は，箱体の底面の面積に対して，８０％〜１０５％，又は９０％〜１００％の値であることが好ましい。このように，第１底板１１と第２底板２１を突き合わせた際に，箱体の底面の略全体を覆うようにすることで，箱体の底面の全体を補強することができる。なお，各底板１１・２１の形状は，矩形（四角形）に限定されるものではなく，矩形の角を斜めに切り落とした形状（五角形〜八角形）であってもよい。
【００３２】
第１側板１２は，第１底板１１の一辺の一部に，折線を介して連接する。同様に，第２側板２２は，第２底板２１の一辺の一部に，折線を介して連接する。各側板１２・２２は，各底板１１・２１との境界に位置する折線で折れ曲がり，各底板１１・２１に対して起立するようになっている。図１に示された例において，各側板１２・２２は，矩形状である。また，各側板１２・２２は，各底板１１・２１の角部分において，各底板１１・２１の一辺の一部から延出するようになっている。
【００３３】
第１幅方向仕切板１３は，第１側板１２の一辺に折線を介して連接している。同様に，第２幅方向仕切板２３は，第２側板２２の一辺に折線を介して連接している。図１に示された展開状態において，各幅方向仕切板１３・２３と各側板１２・２２の境界に形成された折線と，各側板１２・２２と各底板１１・２１の境界に形成された折線は，互いに直交する方向に延びている。また，展開状態において，各幅方向仕切板１３・２３は，各底板１１・２１と同一方向に向かって延在するものである。ただし，各幅方向仕切板１３・２３と各底板１１・２１の間には，切り込みが形成されており，互いに離れたものとなっている。図１に示された例において，各幅方向仕切板１３・２３は，後述するスリットを除けば，基本的には矩形状に形成されている。
【００３４】
図２には，第１ベース部材１０の折り曲げ方が示されている。図２では図示を省略するが，第２ベース部材２０も，第１ベース部材１０と同様に折り曲げることができる。まず，図２（ａ）に示されるように，第１ベース部材１０では，第１底板１１に対し，第１側板１２が折り曲げられる。これにより，第１底板１１に対し，第１側板１２が起立すると共に，この第１側板１２に連接した第１幅方向仕切板１３も起立する。その後，図２（ｂ）に示されるように，第１側板１２に対し，第１幅方向仕切板１３が，第１底板１１の上方の方へと折り曲げられる。これにより，第１幅方向仕切板１３は，第１底板１１の面上に起立した仕切りを形成する。
【００３５】
また，図１及び図２に示されるように，起立した状態の第１幅方向仕切板１３の上縁には，一又は複数の第１ベーススリット１４が形成されている。同様に，起立した状態の第２幅方向仕切板２３の上縁には，一又は複数の第２ベーススリット２４が形成されている。各ベーススリット１４・２４は，各幅方向仕切板１３・２３の上縁から下方に向かって延びる直線状の切り込みである。各ベーススリット１４・２４の数は，長さ方向仕切部材３０の数に応じて適宜増減することができる。本実施形態においては，仕切体１００は，３つの長さ方向仕切部材３０を有するものであるため，各幅方向仕切板１３・２３に形成される各ベーススリット１４・２４の数も３つとなっている。ただし，各ベーススリット１４・２４は，それぞれ，少なくとも１つ以上形成されていればよい。また，図１に示されるように，各ベーススリット１４・２４の延在方向は，第１ベース部材１０と第２ベース部材２０とを構成する段ボールシートの目方向と一致していることが好ましい。段ボールシートは，通常，目方向と一致する方向の圧力に強いという性質を持つ。このため，各ベーススリット１４・２４の延在方向と段ボールシートの目方向が一致することで，仕切体１００全体の上下方向に対する強度が向上する。
【００３６】
一又は複数の長さ方向仕切部材３０は，それぞれ，起立した状態にある第１幅方向仕切板１３と第２幅方向仕切板２３の両方に嵌合する部材である。図１に示されるように，各長さ方向仕切部材３０は，第１差込スリット３１と，第２差込スリット３２を有している。第１差込スリット３１と第２差込スリット３２は，長さ方向仕切部材３０の下縁に形成され，上方に向かって延びる直線状の切り込みである。長さ方向仕切部材３０の第１差込スリット３１は，起立した状態にある第１幅方向仕切板１３の第１ベーススリット１４に嵌合する。また，長さ方向仕切部材３０の第２差込スリット３２は，起立した状態にある第２幅方向仕切板２３の第２ベーススリット２４に嵌合する。このように，第１幅方向仕切板１３と第２幅方向仕切板２３は，長さ方向仕切部材３０が差し込まれることによって，互いに連結する。そして，長さ方向仕切部材３０と各幅方向仕切板１３・２３は，各底板１１・２１の上方において直交するようになっている。なお，図１に示されるように，第１差込スリット３１と第２差込スリット３２の延在方向は，長さ方向仕切部材３０を構成する段ボールシートの目方向と一致していることが好ましい。
【００３７】
図３は，第１ベース部材１０と第２ベース部材２０を組み立てた状態を，長さ方向仕切部材３０の配置関係と共に示している。図３に示されるように，各ベース部材１０・２０を組み立てると，各底板１１・２１に対して，各側板１２・２２が垂直に起立する。また，各幅方向仕切板１３・２３は，各側板１２・２２に対して直角に折れ曲がると共に，各底板１１・２１に対して垂直に起立する。図３には，Ｘ軸，Ｙ軸，及びＺ軸の直交座標系が設定されている。座標を用いて説明すると，各底板１１・２１は，Ｘ−Ｙ平面となる。また，各側板１２・２２は，Ｘ−Ｚ平面となる。また，各幅方向仕切板１３・２３は，Ｙ−Ｚ平面となる。このように，組み立てた状態において，各底板１１・２１，各側板１２・２２，及び各幅方向仕切板１３・２３は，それぞれが直交する平面をなす。
【００３８】
図３に示されるように，第１ベース部材１０と第２ベース部材２０を組み立てた状態において，第１幅方向仕切板１３と第２幅方向仕切板２３とが対面するように，第１ベース部材１０と第２ベース部材２０を配置し，第１底板１１と第２底板２１とを突き合わせる。ここで，第１幅方向仕切板１３は，第１底板１１と第２底板２１とを突き合わせた状態において，第２底板２１の上方にまで延びる程度の長さを有していることが好ましい。同様に，第２幅方向仕切板２３は，第１底板１１と第２底板２１とを突き合わせた状態において，第１底板１１の上方にまで延びる程度の長さを有していることが好ましい。すなわち，各幅方向仕切板１３・２３は，Ｙ方向の長さが，各底板１１・２１のＹ方向の長さよりも長いものであることが好ましい。特に，各幅方向仕切板１３・２３のＹ方向の長さは，第１底板のＹ方向の長さと第２底板のＹ方向の長さの和に略一致するものであるか，又はこの和に対して，８０％〜１０５％，又は９０％〜１００％の値であることが好ましい。
【００３９】
また，図３に示されるように，長さ方向仕切部材３０は，各幅方向仕切板１３・２３に直交するように配置される。すなわち，各幅方向仕切板１３・２３はＹ−Ｚ平面であるため，長さ方向仕切部材３０はＸ−Ｚ平面となる。
【００４０】
図４は，仕切体１００が組み立てられた状態を示している。図４に示されるように，第１ベース部材１０の第１幅方向仕切板１３に形成された第１ベーススリット１４には，長さ方向仕切部材３０に形成された第１差込スリット３１が嵌合し，第２ベース部材２０の第２幅方向仕切板２３に形成された第２ベーススリット２４には，長さ方向仕切部材３０に形成された第２差込スリット３２が嵌合する。この嵌め込み作業を，複数の長さ方向仕切部材３０のそれぞれについて行うことで，図４に示されるように，仕切体１００がいわゆる井桁状に組み立てられる。仕切体１００は，第１幅方向仕切板１３と，第２幅方向仕切板２３と，複数の長さ方向仕切部材３０とによって，複数のセル４０を区画している。セル４０は，箱体内に収納される複数の物品間を仕切るための小部屋である。セル４０は，平面的に見ると矩形状となっている。セル４０には，第１幅方向仕切板１３と，第２幅方向仕切板２３と，複数の長さ方向仕切部材３０によって四辺を囲われたものと，三辺が定義されたものと，二辺が定義されたものが存在する。このように，セル４０は，少なくとも二辺が，第１幅方向仕切板１３，第２幅方向仕切板２３，又は複数の長さ方向仕切部材３０の２つ以上によって定義されたものであればよい。図４に示されるように，本実施形態においては，縦４×横３の計１２個のセル４０が区画されている。
【００４１】
図５は，仕切体１００を俯瞰視した状態を示している。図５に示されるように，本実施形態において，各幅方向仕切板１３・２３と各長さ方向仕切部材３０によって区画された複数のセル４０の下部には，すべて，第１底板１１又は第２底板２１が位置している。このため，箱体内に複数の物品（瓶製品等）を収納するにあたり，どのセル４０に物品を格納したとしても，その物品は，第１底板１１又は第２底板２１上に載置されることとなる。つまり，本発明の仕切体１００は，箱体内に収納される全ての物品を，第１底板１１又は第２底板２１によって保護することができる。
【００４２】
また，図６は，図５に示した組立て状態から，仕切体１００を折り畳む過程の状態を示している。図６に示されるように，仕切体１００は，各幅方向仕切板１３・２３と各長さ方向仕切部材３０とが，スリット同士の噛み合わせによってのみ嵌合するものであるため，セル４０の対角線方向に力を加えることにより，容易に偏平状に畳むことができる。また，本実施形態の仕切体１００では，各底板１１・２１を取り外す必要もない。このため，本実施形態の仕切体１００は，組立状態からワンタッチで偏平状態へとすることができる。
【００４３】
（２．第２の実施形態）
続いて，本発明に係る仕切体の第２の実施形態について説明する。第２の実施形態に関し，上述した第１の実施形態と同様の点については同一の符号を付してその説明を割愛し，第１の実施形態と異なる点を中心に説明を行う。
図７は，第２の実施形態に係る仕切体２００の示した展開図である。図７に示されるように，第２の実施形態に係る仕切体２００は，第１の実施形態に係る仕切体１００（図１参照）と同様に，第１ベース部材１０と，第２ベース部材２０と，複数の長さ方向仕切部材３０とによって構成される。ただし，第２の実施形態に係る仕切体２００は，第１ベース部材１０の第１底板１１と，第２ベース部材２０の第２底板２１の構造が，第１の実施形態に係る仕切体１００とは異なっている。
【００４４】
図７に示されるように，第１ベース部材１０の第１底板１１には，第１切欠部１５が形成されている。同様に，第２ベース部材２０の第２底板２１には，第２切欠部２５が形成されている。第１切欠部１５と第２切欠部２５は，それぞれ，第１底板１１と第２底板２１が互いに突き合う位置に形成されている。例えば，各切欠部１５・２５は，図７に示されるように，第１底板１１と第２底板２１が互いに突き合う辺の中間部分に形成すればよい。
【００４５】
図８に示されるように，第１底板１１に形成された第１切欠部１５と，第２底板２１に形成された第２切欠部２５は，互いに嵌合する。このように，仕切体２００を組み上げた際に，各切欠部１５・２５が噛み合うこととなるため，第１底板１１と第２底板２１同士が係合する。従って，仕切体２００を組み上げた状態において，第１底板１１と第２底板２１が解離しにくくなり，結果として，仕切体２００の保型性が向上する。
【００４６】
（３．第３の実施形態）
続いて，本発明に係る仕切体の第３の実施形態について説明する。第３の実施形態に関し，上述した第１の実施形態と同様の点については同一の符号を付してその説明を割愛し，第１の実施形態と異なる点を中心に説明を行う。
図９は，第３の実施形態に係る仕切体３００の示した展開図である。図９に示されるように，第３の実施形態に係る仕切体３００は，第１の実施形態に係る仕切体１００（図１参照）と同様に，第１ベース部材１０と，第２ベース部材２０と，複数の長さ方向仕切部材３０とによって構成される。ただし，第３の実施形態に係る仕切体３００は，底板のロック機構を有する点において，第１の実施形態に係る仕切体１００とは異なっている。
【００４７】
図９に示されるように，第１ベース部材１０の第１底板１１には，折線を介して第１ロック板１６が連接している。同様に，第２ベース部材２０の第２底板２１には，折線を介して第２ロック板２６が連接している。各ロック板１６・２６は，各底板１１・２１のうち，各側板１２・２２とは反対側の辺に連接している。換言すると，各ロック板１６・２６は，折線に沿って直角に折り曲げられて起立したときに，各側板１２・２２と対面する位置において，各底板１１・２１に連接している。
【００４８】
また，第１ロック板１６の上縁には，下方に向かって延びる第１ロックスリット１７と第２ロックスリット１８が形成されている。同様に，第２ロック板２６の上縁には，下方に向かって延びる第１ロックスリット２７と第２ロックスリット２８が形成されている。さらに，第１ベース部材１０の第１幅方向仕切板１３の下縁には，上方に向かって延びる第１ロック差込スリット１９が形成されている。同様に，第２ベース部材２０の第２幅方向仕切板２３の下縁には，上方に向かって延びる第２ロック差込スリット２９が形成されている。これらの各ロック差込スリット１９・２９は，各幅方向仕切板１３・２３の下縁の中央部近傍に設けられる。
【００４９】
上記構成を有する仕切体３００を組み立てる際には，まず，図１０に示されるように，第１ロック板１６を第１底板１１に対して直角に折り曲げて起立させると共に，第２ロック板２６を第２底板２１に対して直角に折り曲げて起立させる。そして，第１ロック板１６と第２ロック板２６を合掌状態に当接させる。この合掌状態において，第１ロック板１６に形成された第１ロックスリット１７及び第２ロックスリット１８と，第２ロック板２６に形成された第１ロックスリット２７及び第２ロックスリット２８の位置が一致する。このため，２つの第１ロックスリット１７・２７が一つ切り込みを形成し，２つの第２ロックスリット１８・２８が一つの切り込みを形成した様になる。なお，座標を用いて説明すると，起立した状態の第１ロック板１６と第２ロック板２６は，Ｘ−Ｚ平面となる。
【００５０】
その後，図１１に示されるように，各ベース部材１０・２０の各側板１２・２２を，各底板１１・２１に対して直角に折り曲げて起立させるとともに，各幅方向仕切板１３・２３を各側板１２・２２に対して直角に折り曲げる。そして，このときに，第１幅方向仕切板１３の下縁に形成された第１ロック差込スリット１９を，各ロック板１６・２６の上縁に形成された２つの第１ロックスリット１７・２７に嵌合させる。また，第２幅方向仕切板２３の下縁に形成された第２ロック差込スリット２９を，各ロック板１６・２６の上縁に形成された２つの第２ロックスリット１８・２８に嵌合させる。これにより，各幅方向仕切板１３・２３が，各ロック板１６・２６に直交して，互いに固定される。このように，第１ベース部材１０及び第２ベース部材２０において，各底板１１・２１に，ロック板１６・２６を連接し，各幅方向仕切板１３・２３が，このロック板１６・２６に嵌合する構造とすることで，仕切体３００を組み立てたときに，各底板１１・２１が各幅方向仕切板１３・２３によってロック（固定）された状態となる。このため，組立て状態にある仕切体３００が型崩れしにくくなる。また，図１１に示されるように，各ロック板１６・２６は，各幅方向仕切板１３・２３と直交する長さ方向（Ｘ方向）に箱内の収納空間を仕切るように機能する。このため，第３の実施形態の仕切体３００は，第１の実施形態の仕切体１００（図１参照）と比較し，長さ方向仕切部材３０の数が一つ少なくなる。
【００５１】
その後は，図１２に示されるように，第１ベース部材１０の第１幅方向仕切板１３に形成された第１ベーススリット１４と，第２ベース部材２０の第２幅方向仕切板２３に形成された第２ベーススリット２４とに，それぞれ長さ方向仕切部材３０を嵌め込んでいく。これにより，仕切体３００がいわゆる井桁状に組み立てられる。
【００５２】
以上，本願明細書では，本発明の内容を表現するために，図面を参照しながら本発明の好ましい実施形態を中心に説明を行った。ただし，本発明は，上記実施形態に限定されるものではなく，本願明細書に記載された事項に基づいて当業者が自明な変更形態や改良形態を包含するものである。
【産業上の利用可能性】
【００５３】
本発明は，段ボール箱等の箱体内に収納して使用される底板一体型の仕切体に関する。従って，本発明は段ボール箱の製造業などにおいて好適に利用され得る。
【符号の説明】
【００５４】
１０…第１ベース部材
１１…第１底板            １２…第１側板            １３…第１幅方向仕切板
１４…第１ベーススリット  １５…第１切欠部          １６…第１ロック板
１７…第１ロックスリット  １８…第２ロックスリット  １９…第１ロック差込スリット
２０…第２ベース部材
２１…第２底板            ２２…第２側板            ２３…第２幅方向仕切板
２４…第２ベーススリット  ２５…第２切欠部          ２６…第２ロック板
２７…第１ロックスリット  ２８…第２ロックスリット  ２９…第２ロック差込スリット
３０…長さ方向仕切部材
３１…第１差込スリット    ３２…第２差込スリット
４０…セル
１００…仕切体（第１の実施形態）
２００…仕切体（第２の実施形態）
３００…仕切体（第３の実施形態）
【図１】
2014223926.tif 000003
【図２】
2014223926.tif 000004
【図３】
2014223926.tif 000005
【図４】
2014223926.tif 000006
【図５】
2014223926.tif 000007
【図６】
2014223926.tif 000008
【図７】
2014223926.tif 000009
【図８】
2014223926.tif 000010
【図９】
2014223926.tif 000011
【図１０】
2014223926.tif 000012
【図１１】
2014223926.tif 000013
【図１２】
2014223926.tif 000014